(57)【要約】      （修正有）【課題】湾曲面によって密封環に予圧空間を提供する効果を達成し、プラグ本体と外部連結装置を相互停止して位置を限定し、更に密封環に圧力がかかりすぎて変形するのを防止する目的を達成するプラグ構造を提供する。【解決手段】プラグ構造は、プラグ本体３０を含む。該プラグ本体３０は連結部３１が伸びて設置し、該連結部３１とプラグ本体３０の間には環凹槽３２を設置する。該環凹槽３２とプラグ本体３０の間には湾曲面３４を設置し、該湾曲面３４の外周囲には案内角３３を設置し、該環凹槽３２は密封環４を設置し、該密封環４は湾曲面内に設置する。【選択図】図３
0003180173.tif 000002
【実用新案登録請求の範囲】
【請求項１】
プラグ構造において、
中空部と固定孔を設置し、該中空部と固定孔は相互連結して貫通し、連結部が伸びて設置し、また該連結部との間には環凹槽を設置し、該環凹槽との間には湾曲面を設置し、該湾曲面の外周囲には案内角を設置するプラグ本体を含むことを特徴とするプラグ構造。
【請求項２】
前記固定孔は矩形または多角形であることを特徴とする請求項１記載のプラグ構造。
【請求項３】
前記環凹槽は、密封環を設置することを特徴とする請求項１から２記載のプラグ構造。
【請求項４】
前記連結部は、外ネジ紋を設置することを特徴とする請求項１から２記載のプラグ構造。
【請求項５】
前記連結部は、更に数個のネジ歯を含み、そのうち該各ネジ歯と各ネジ歯の間には夾角を備え、該夾角の角度は６０度に等しいか、または６０度より大きいことを特徴とする請求項１記載のプラグ構造。
【考案の詳細な説明】
【技術分野】
【０００１】
本考案は、プラグ構造に関するもので、特に該プラグ本体の連結部の間に環凹槽を設置し、該環凹槽とプラグ本体の間には湾曲面を設置する。該湾曲面の外周囲には案内角を設置し、該環凹槽内には密封環を設置し、該湾曲面によって密封環に予圧空間が形成される効果を達成し、該プラグ本体一端に案内角を設置することで、プラグ本体と外部連結装置が相互停止して位置を限定する効果を達成し、密封環に圧力がかかりすぎて変形するのを防止する目的を達成する。
【背景技術】
【０００２】
一般プラグは図１、図２に示すとおり、プラグ本体１を含む。該プラグ本体１の一端は平面部１３を設置し、また該プラグ本体１の平面部１３は連結部１１が伸びて設置する。該連結部１１は外ネジ紋を設置し、また該連結部１１は、外部連結装置２と相互に連結する。該連結部１１とプラグ本体１の間には環凹槽１２を設置し、また該環凹槽１２は密封環１４を設置し、該密封環１４とプラグ本体１の平面部１３は相互に停止する。また該プラグ本体１は中空部１０を形成し、該連結部１１によって該プラグ本体１が外部連結装置２で相互に連接する目的を達成する。また該プラグ本体１の中空部１０は外部連結装置２の気体に流動効果を与える。
【０００３】
該「プラグ」は外部連結装置２に連接する目的を達成するものであるが、該プラグ本体１一端には平面部１３を設置し、該密封環１４と平面部１３は互いに停止する。そのため、ユーザーが該プラグ本体１の連結部１１と外部連結装置２を相互連結すると、該プラグ本体１の平面部１３は該密封環１４が外部連結装置２と相互に接合する。そのため、ユーザーがプラグ本体１と外部連結装置２の密接度を更に高めたい場合、再度該プラグ本体１を回転し、該プラグ本体１の平面部１３と外部連結装置２を密封環１４で相互に押して強く接合するが、該密封環１４は長時間加圧すると、変形するという欠点があり、密封環１４は予圧空間が足りないために破裂してしまう。更に該プラグ本体１の連結部１１の外ネジ紋と外部連結装置２の内ネジ紋は密接に螺合し、該外部連結装置２の内ネジ紋が直線歯ネジ紋、または傾斜歯ネジ紋、または異なる角度のネジ紋である時、相互に対応するプラグ本体１の連結部１１に交換することで、やっと外部連結装置と相互に連結できるようになり不便である。
【先行技術文献】
【特許文献】
【０００４】
【特許文献１】特開平６−５０３５９号公報
【考案の概要】
【考案が解決しようとする課題】
【０００５】
解決しようとする問題点は、密封環が長時間加圧された状況で変形してしまう点と、密封環に予圧空間がないために破裂しやすい点である。
【課題を解決するための手段】
【０００６】
本考案は、プラグ本体を含む。該プラグ本体は連結部が伸びて設置し、該連結部とプラグ本体の間には環凹槽を設置する。該環凹槽とプラグ本体の間には湾曲面を設置し、該湾曲面の外周囲には案内角を設置し、該環凹槽は密封環を設置し、該密封環は湾曲面内に設置する。該プラグ本体の連結部の間に環凹槽を設置し、該環凹槽とプラグ本体の間には湾曲面を設置し、該湾曲面の外周囲に案内角を設置し、該環凹槽内に密封環を設置する。該プラグ本体一端には案内角を設置することを最も主要な特徴とする。
【考案の効果】
【０００７】
本考案のプラグ構造は、適する予圧空間を提供し、密封環を保護し、密封環が加圧に拠って変形するのを防止する目的を達成し、プラグ本体の強度が高まり、各種ネジ紋との接触を止める効果を達成するという利点がある。
【図面の簡単な説明】
【０００８】
【図１】公知の断面側面指示図である。
【図２】公知のプラグ本体と外部連結装置の動作指示図である。
【図３】本考案の断面側面指示図である。
【図４】本考案の立体指示図である。
【図５】本考案の鳥瞰指示図である。
【図６】本考案の外ネジ紋と外部連結装置の内ネジ紋の動作前指示図である。
【図７】本考案の外ネジ紋と外部連結装置の内ネジ紋の動作後指示図である。
【図８】本考案の外ネジ紋のネジ歯角度と外部連結装置の内ネジ紋のネジ歯角度のテスト指示図である。
【考案を実施するための形態】
【０００９】
現在の「プラグ」は、長時間圧力がかかると、変形するという欠点があり、密封環は予圧空間が不足している。そのため、本考案の目的はプラグ構造を提供し、該プラグ本体の連結部の間に環凹槽を設置し、該環凹槽とプラグ本体の間に湾曲面を設置し、該湾曲面の外周囲には案内角を設置し、該環凹槽内には密封環を設置し、該湾曲面によって密封環に予圧空間を提供することで、また該プラグ本体一端に案内角を設置し、プラグ本体と外部連結装置を相互に停止して位置を限定する効果を達成し、更に密封環に圧力がかかりすぎて変形するのを防止する目的を達成する。
【００１０】
以上の目的を達成するため、本考案はプラグ構造を提供し、それは以下を含む。
【００１１】
プラグ本体は、中空部と固定孔を設置し、該プラグ本体は連結部が伸びて成形され、該連結部とプラグ本体の間には環凹槽を設置し、該環凹槽とプラグ本体の間には湾曲面を設置し、該湾曲面の外周囲は案内角を設置し、該環凹槽は密封環を設置し、該密封環は環凹槽の湾曲面内に設置する。
【００１２】
本考案は、該プラグ本体の連結部の間に環凹槽を設置し、該環凹槽とプラグ本体の間に湾曲面を設置し、該湾曲面の外周囲に案内角を設置し、該環凹槽内に密封環を設置し、該湾曲面によって密封環が予圧空間を与える効果を達成する。該プラグ本体一端に案内角を設置することによって、プラグ本体と外部連結装置が相互停止して位置を限定する効果を達成し、更に密封環に圧力がかかりすぎて変形するのを防止する目的を達成する。
【実施例】
【００１３】
本考案のその他特徴内容と、長所及びびその効果を更に説明するため、図と共に、例を挙げて詳細に説明する。
【００１４】
図３、図４に示すとおり、本考案はプラグ構造を提供し、それは、
【００１５】
プラグ本体３０を含み、該プラグ本体３０は中空部３０１と固定孔３０２を設置し、該中空部３０１と固定孔３０２は相互に連結貫通する。該固定孔３０２はユーザーが外部工具で相互に合わせて使用し、該固定孔３０２は矩形または多角形とする。図５に示すとおり、該中空部３０１は外部連結装置５の気体を流動させる効果を備え、図６は、該プラグ本体３０は連結部３１が伸びて設置され、該連結部３１は外ネジ紋を設置し、該連結部３１とプラグ本体３０の間には環凹槽３２を設置し、該環凹槽３２はプラグ本体３０との間に湾曲面３４を設置し、該湾曲面３４の外周囲には、案内角３３を設置し、該案内角３３が外部連結装置５と相互に停止して位置を限定する効果を達成する。該環凹槽３２は密封環４を設置し、該密封環４は環凹槽３２の湾曲面３４内に設置し、密封環４が脱落するのを防止する効果を達成し、該密封環４によって気密を高める効果を達成する。
【００１６】
図６、図７に示すとおり、ユーザーが本考案と外部連結装置５を相互に連結する時、該外部連結装置５で内ネジ紋５１及び内案内角５２を設置し、該本考案の連結部３１には外ネジ紋を設置し、該外ネジ紋によって外部連結装置５の内ネジ紋５１と連結部３１の外ネジ紋が相互連結する効果を達成する。また該プラグ本体３０の外ネジ紋と外部連結装置５の内ネジ紋５１は互いに密接に合わさらない。本考案の外ネジ紋のネジ歯３１１と外部連結装置５の内ネジ紋５１のネジ歯５１１は相互に触れない。また該プラグ本体３０と連結部３１の間に環凹槽３２を設置し、また該環凹槽３２内に密封環４を設置することによって、該外部連結装置５の案内角５２とプラグ本体３０の案内角３３が相互に停止した時、該密封環４は外部連接装置５と環凹槽３２の間に気密効果を備える。図７に示すとおり、ユーザーがプラグ本体３０と外部連結装置５を更に強く接合したい時、該プラグ本体３０を回転して該プラグ本体３０と外部連結装置５の間に更に強く接合する効果を達成する。また該環凹槽３２とプラグ本体３０の間に湾曲面３４を設置することにより、該密封環４が加圧された時、該環凹槽３２の湾曲面３４が密封環４の設置に予圧空間を与えることで密封環４を保護し、密封環４が加圧に拠って変形してしまうのを防止する目的を達成する。
【００１７】
図７、図８に示すとおり、該外部連結装置５は内ネジ紋５１を設置し、該内ネジ紋５１のネジ歯５１１と別一ネジ歯５１１の夾角Ｂ角度は５０度から６０度の間で挟む。該プラグ本体３０は連結部３１を設置する。該連結部３１は更に数個のネジ歯３１１を含み、そのうち該各ネジ歯３１１と各ネジ歯３１１の間には夾角Ａを備え、該夾角Ａの角度は６０度に均しいか、または６０度より大きく、該夾角Ａの角度が該連結部３１のネジ歯３１１の厚みを増す効果を達成する。
【００１８】
更に該プラグ本体３０の強度を高める目的を達成する。また、本考案のプラグ本体３０の連結部３１の外ネジ紋と外部連結装置５の内ネジ紋５１は密着接合しない。また本考案の外ネジ紋のネジ歯３１１と外部連結装置５の内ネジ紋５１のネジ歯５１１は互いに接触しないように止める。図９に示すとおり、該外部連結装置５の内ネジ紋５１が直線歯ネジ紋、または傾斜歯ネジ紋、または異なる角度のネジ紋で、且つ該直線歯ネジ紋、または傾斜歯ネジ紋、または異なる角度のネジ紋のネジ歯５１１の夾角Ｂの角度が５０度から６０度の間の時、本考案のネジ歯３１１が各種ネジ紋と相互に接触しないように停止する効果を達成する。
【符号の説明】
【００１９】
１        プラグ本体
１０        中空部
１１        連結部
１２        環凹槽
１３        平面部
１４        密封環
２        外部連結装置
３０        プラグ本体
３０１        中空部
３０２        固定孔
３１        連結部 
３１１        ネジ歯
３２        環凹槽
３３        案内角
３４        湾曲面
４        密封環
５        外部連結装置
５１        内ネジ紋
５１１        ネジ歯
５２        内案内角
Ａ        夾角
Ｂ        夾角
【図１】
0003180173.tif 000003
【図２】
0003180173.tif 000004
【図３】
0003180173.tif 000005
【図４】
0003180173.tif 000006
【図５】
0003180173.tif 000007
【図６】
0003180173.tif 000008
【図７】
0003180173.tif 000009
【図８】
0003180173.tif 000010